(57)【要約】      （修正有）【課題】効率よく検体の検査機関への輸送を達成することができ、箱に破損が生じても交換して使用することができ、さらに検体の温度管理ができる結果、検体の損傷を防止し、正確なデータが得られる検体収納容器を提供する。【解決手段】検体ラックを収納する容器を従来実施されていなかった内箱と外箱の二重箱とし、検体の種類や量に対応して能率の良い検体輸送を実現すること、箱のいずれかに破損が生じた場合、これを交換すればよいこと、及び、検体を収容した内箱の温度を外箱の外部から視認できるようにしたことで、能率よく検体の温度管理をなし得るようにしたものである。【選択図】図１
0003169033.tif 000002
【実用新案登録請求の範囲】
【請求項１】
発泡プラスチックからなり、検体ラックを収納する1又は複数個の内箱と、該内箱を収納する外箱と、からなることを特徴とする検体収納容器。
【請求項２】
前記の内箱として、巾方向が外箱内に接するサイズａ1を備えた内箱Ａ、該内箱Ａのサイズａ1の１／２のサイズａ2を備えた内箱Ｂ、該内箱Ａのサイズａ2の１／２のサイズａ3を備えた内箱Ｃのいずれかを選択し、内箱を外箱内に巾方向に空白部を生じないように設けられたことを特徴とする請求項１に記載の検体収納容器。
【請求項３】
内箱が二個以上の場合、各内箱の上蓋表面に温度検知手段を設け、該複数の温度検知手段を読み取りうる透明部を前記外箱に設けたことを特徴とする請求項１又は２に記載の検体収納容器。
【考案の詳細な説明】
【技術分野】
【０００１】
本考案は医療分野等において、血液等の分析用検体を収容した検体ラックを収納し、輸送するための容器に関するものである。
【背景技術】
【０００２】
医療分野では、血液、尿、細胞などを検査して、病気の発見や、診断を行なうため、試験管に検体をとり、検査機関に移送することが行なわれている。その場合、各種の検体を収容した検体ラックを発泡プラスチックの容器にいれ、必要な保冷剤たとえばドライアイスをいれて移送することが行なわれている。また、検体には種類が多く、その種類に応じて移送中の温度を対応させることが望ましいが、これを満足させるためには、発泡プラスチック容器に発泡プラスチックの仕切り板を設けて中を分割したものがある。しかし、仕切り版の位置で分割され、容積(室)が一定に設定されており、使用される温度条件で使用できる容量が決まっているため、検体の種類や量に応じた組み換えができないものである。このような実情からこの問題を解決した容器の出現が待望されている。
【０００３】
【特許文献１】特開２００５−１０４５６７号公報
【特許文献２】実用新案登録第３０４７９４３号公報
【０００４】
特許文献１では、魚類、野菜などの生鮮食品を輸送する場合に、鮮度の異なる２以上のものを区画で分割するように隔壁を設けたもので、各種生体の検体をこのような隔壁のみで、区分することは、検体の管理、取り扱い上不充分で採用しがたい。また、特許文献２は容器内で検体ラックが転倒するのを防止する仕切り板を設けたもので、本考案のように内箱と外箱からなる二重容器を使用する技術思想は示されていない。
【考案の概要】
【考案が解決しようとする課題】
【０００５】
上記のように従来技術では、生体の検体の種類や量に対応して、一つの輸送箱で、輸送することができないが、本考案では、内外二重箱とすることでこれを解決したものである。
【課題を解決するための手段】
【０００６】
本考案は、検体ラックを収納する容器を従来実施されていなかった内箱と外箱の二重箱とし、検体の種類や量に対応して能率の良い検体輸送を実現すること、及び、検体を収容した内箱の温度を外箱の外部から視認できるようにしたことで、能率よく検体の温度管理をなし得るようにしたもので、具体的には以下に記載のとおりである。
【０００７】
（１）発泡プラスチックからなり、検体ラックを収納する1又は複数個の内箱と、該内箱を収納する外箱と、からなることを特徴とする検体収納容器。
（２）請求項（１）の内箱として、巾方向が外箱内に接するサイズａ1を備えた内箱Ａ、該内箱Ａのサイズａ1の１／２のサイズａ2を備えた内箱Ｂ、該内箱Ａのサイズａ2の１／２のサイズａ3を備えた内箱Ｃを、選択することで、内箱と外箱の間に巾方向に空白部を生じないように設けられたことを特徴とする検体収納容器。
（３）内箱が2個以上の場合、各内箱の上蓋表面に度検知手段を設け、外箱に前記内箱の該複数の温度検知手段の温度を読み取りうる透明部を設けたことを特徴とする（１）または(２)に記載の検体収納容器。
【考案の効果】
【０００８】
本考案によれば、冷凍、冷蔵、常温など検体の種類や量に応じた内箱を用いることができるので、効率よく検体の検査機関への輸送を達成することができ、かつ内箱と外箱を組み合わせるので、いずれかの箱に破損が生じても交換して使用することができ、さらに内箱の蓋に温度感知体を取り付けること及び外箱の蓋に透視窓を設けることにより検体の温度管理ができる結果検体の損傷を防止し、正確なデータが得られるという効果がある。
【図面の簡単な説明】
【０００９】
【図１】本考案の検体収納容器の一例の一部剥離露出の斜視図である。
【図２】本考案の検体収納容器の横断面図で、(ａ)は内箱が１個の場合、（ｂ）は内箱が２個の場合、（ｃ）は内箱が１／２サイズ１個と１／４サイズ２個の場合を示す。
【図３】本考案の内箱２個の場合の一例の縦断面図である。
【図４】従来の検体収納容器斜視図である。
【考案を実施するための最良の形態】
【００１０】
以下、本考案の実施の形態について図面を参照して説明する。
図４は、従来の検体収納容器例の一例の外観斜視図であり、容器1及び蓋1ａからなり、図示してないが、容器内には検体を収容した試験管をラックにたてて、収納される。
なお容器は発泡プラスチックからなるものであり、発泡プラスチックとしてはポリスチレン・ポリエチレン発泡体、押出法発泡ポリスチレン、フェノールフォーム等の発泡プラスチックが用いられるが、プラスチック発泡体の熱伝導率及び厚さ、冷蔵の場合はドライアイスの昇華潜熱等を考慮して適宜材料と厚さを選定される。加温の必要がある場合は、蓄温剤や発熱テープなどの発熱剤を、検体を収納した内箱内に設ければよい。
【００１１】
図１は、本考案の一例の一部切開の斜視図で、外箱１、その外蓋1ａ、内箱２、その内蓋2ａ、温度表示２ｂからなっており、内部に収納される検体ラック及び保冷剤は図示してない。内箱の蓋の温度表示は、温度計又は温度を色変化で表示するテープなどが利用できる。その状態は図３に示すように外箱１の外蓋１aに設けた透明窓1bにより透視できるので、輸送中も、検体が好ましい温度に保持されるように管理できる。
【００１２】
また図２は各種内箱と外箱の関係を示す例示の横断面図で、
（ａ）は、外箱１に内箱２Aを内接するように設けたもので、ａ１は内箱の方向の長さを示し、ｂは奥行きを示す。
（ｂ）は、奥行きはｂで、巾方向の寸法が前記図１のａ１の１／２であるａ２の内箱２Ｂが２個設けられている場合が示されている。
（ｃ）は、奥行きはｂで、巾方向の寸法が前記図１のａ１の１／２であるａ２を有する内箱２Ｂ１個と、ａ２の１／２であるａ３を有する内箱２Ｃ２個とが並列に内蔵された場合が示されている。
さらに図示してないが内箱として図２に示したａ３を４個並列にすることも可能である。
【符号の説明】
【００１３】
１    外箱
１ａ  外蓋
１ｂ  透明窓
２    内箱
２Ａ  内箱
２Ｂ  内箱
２Ｃ  内箱
２ａ  内蓋
２ｂ  温度表示
【図１】
0003169033.tif 000003
【図２】
0003169033.tif 000004
【図３】
0003169033.tif 000005
【図４】
0003169033.tif 000006